(57)【要約】【課題】液晶パネルの温度を検知する手段を設けなくても、液晶パネルの温度変化によって画質が損なわれないようにする。【解決手段】液晶パネル４は、画素電極４ｃが配置された第１基板４ａを含み、液晶パネル駆動回路６は、各画素電極４ｃに画像データ（例えば、階調値）に基づく映像信号電圧を印加する。バックライト駆動回路１６は、ＬＥＤバックライト１４を、非ローカルディミング駆動又はローカルディミング駆動で駆動させる。コントローラ８は、画素電極４ｃに印加される映像信号電圧を、ＬＥＤバックライト１４の駆動態様に応じて変化させる。これにより、少なくとも一部の画素電極４ｃの各々に印加される映像信号電圧と、該画素電極４ｃに関する画像データに対応する電圧と、の差がＬＥＤバックライト１４の駆動態様に応じて変わる。【選択図】図１
2011099953.tif 000002
【特許請求の範囲】
【請求項１】
複数の画素電極が配置された第１の基板、及び第１の基板に対向する第２の基板、を含む液晶パネルと、
各画素電極に映像信号電圧を印加することにより、各画素電極を駆動させる液晶パネル駆動手段と、
前記液晶パネルに平行する平面上に複数のＬＥＤが配置されたバックライトと、
前記複数のＬＥＤの輝度を均一に制御する第１の駆動態様、及び前記複数のＬＥＤを複数のエリアに分け当該エリア毎にＬＥＤの輝度を制御する第２の駆動態様の何れかで前記バックライトを駆動させるバックライト駆動手段と、
を含む液晶表示装置において、
前記画素電極に印加される映像信号電圧を、前記バックライトの駆動態様に応じて変化させる制御手段を有すること、
を特徴とする液晶表示装置。
【請求項２】
前記液晶表示装置は、
各画素電極に関し、該画素電極に関する画像データに対応する電圧を基礎電圧として取得する基礎電圧取得手段をさらに含み、
前記制御手段は、
少なくとも一部の画素電極の各々に関し、前記バックライトの駆動態様に応じた補正電圧を出力する出力手段を含み、
前記液晶パネル駆動手段は、
前記少なくとも一部の画素電極の各々を駆動させる場合、該画素電極に関する補正電圧に基づいて該画素電極に関する基礎電圧を補正してなる電圧を、該画素電極に映像信号電圧として印加すること、
を特徴とする請求項１に記載の液晶表示装置。
【請求項３】
前記第１の駆動態様に対応する補正制御情報、及び前記第２の駆動態様に対応する補正電圧制御情報が記憶された記憶手段をさらに含み、
前記出力手段は、
前記記憶手段に記憶される補正制御情報のうち前記バックライトの現在の駆動態様に対応する補正制御情報に基づいて、前記補正電圧を出力すること、
を特徴とする請求項２に記載の液晶表示装置。
【請求項４】
前記制御手段は、
少なくとも一部の画素電極の各々に関する画像データを、前記バックライトの駆動態様に応じて補正量が変化するように補正する補正手段を含み、
前記液晶パネル駆動手段は、
前記少なくとも一部の画素電極の各々を駆動させる場合、該画素電極に、前記補正手段により補正された画像データに対応する電圧を映像信号電圧として印加すること、
を特徴とする請求項１に記載の液晶表示装置。
【請求項５】
前記第１の駆動態様に対応する補正制御情報、及び前記第２の駆動態様に対応する補正制御情報が記憶された記憶手段をさらに含み、
前記制御手段は、
前記記憶手段に記憶される補正制御情報のうち前記バックライトの現在の駆動態様に対応する前記補正制御情報に基づいて、前記少なくとも一部の画素電極の各々に関する画像データを補正すること、
を特徴とする請求項４に記載の液晶表示装置。
【請求項６】
前記記憶手段には、前記第１の駆動態様に対応する補正制御情報として、４０℃用のオーバードライブ制御情報と４０℃用のガンマ補正制御情報とが記憶され、前記第２の駆動態様に対応する補正制御情報として、２５℃用のオーバードライブ制御情報と２５℃用のガンマ補正制御情報とが記憶されていること、
を特徴とする請求項３又は５に記載の液晶表示装置。
【発明の詳細な説明】
【技術分野】
【０００１】
本発明は、液晶表示装置に関する。
【背景技術】
【０００２】
液晶は温度によって特性（例えば、粘度など）が変わる。そのため、液晶表示装置の色再現性や動画の画質等は液晶パネルの周辺環境の温度に影響をうける。例えば、液晶表示装置では、液晶パネルの周辺環境の温度が変わるとガンマ特性が変わる。また、例えば、液晶パネルの周辺環境の温度が変わると液晶パネルの応答速度が変わる。なお、液晶パネルの周辺環境の温度が変化する要因としては、バックライトの発熱量の変化が挙げられる。
【０００３】
そこで、下記特許文献１の液晶表示装置は、温度センサを備え、液晶パネルの周辺環境の温度に応じて液晶パネルの各画素電極に印加する電圧を変えている。これにより、液晶パネルの周辺環境の温度が変化しても、画質が損なわれないようにしている。具体的には、液晶パネルの周辺環境の温度に応じて画素電極に印加する電圧の調整（いわゆるガンマ補正）を行うことにより、液晶パネルの温度が変わっても液晶表示装置の色再現性が損なわれないようにしている。
【先行技術文献】
【特許文献】
【０００４】
【特許文献１】特開２００８−１８５９３２号公報
【発明の概要】
【発明が解決しようとする課題】
【０００５】
バックライトの光源としては、一般的には、ＣＣＦＬなどの線状光源が使われるが、近年、ＬＥＤが光源として用いられる場合がある。ＬＥＤが光源として用いられる場合、ＬＥＤは点光源であるため、液晶表示装置では、複数のＬＥＤが配置された直下型のＬＥＤバックライトが用いられる。
【０００６】
ところで、ＬＥＤバックライトの駆動態様には、ＬＥＤバックライトを均一に発光させる通常の駆動態様（以下、非ローカルディミング駆動と記載する）と、一部のＬＥＤの出力光の輝度をエリアごとに変化させるローカルディミング駆動と呼ばれる特別な駆動態様と、があることが知られている。ローカルディミング駆動では、例えば、ＬＥＤの出力光の輝度を画像に応じて変化させる。液晶表示装置によっては、これらの駆動態様をユーザが選択できるものがある。
【０００７】
このような液晶表示装置では、ＬＥＤバックライトの駆動態様に応じて液晶パネルの温度が変化する。本発明者らの知見によれば、例えば、通常、バックライトの駆動態様が非ローカルディミング駆動であるときは液晶パネルの周辺環境の温度が約４０℃となり、バックライトの駆動態様がローカルディミング駆動であるときは、画像に応じて多少変化するものの、液晶パネルの周辺環境の温度が概ね約２５℃になることがわかった。つまり、ＬＥＤバックライトの駆動態様がローカルディミング駆動である場合、液晶パネルの周辺環境の温度が、ＬＥＤバックライトの駆動態様が非ローカルディミング駆動である場合よりも低くなることがわかった。
【０００８】
そこで、ＬＥＤバックライトを有する液晶表示装置において、特許文献１の技術を応用することにより、液晶パネルの温度が変わっても色再現性が損なわれないようにすることが考えられる。
【０００９】
また、特許文献１の技術を応用することにより、液晶パネルの温度の変化により動画の画質が損なわれないよう、液晶の応答速度を調整することも考えられる。
【００１０】
しかしながら、特許文献１の技術では、液晶パネルの温度を検知する検知手段を設ける必要がある。
【００１１】
本発明は上記課題に鑑みてなされたものであり、液晶パネルの温度を検知する手段を設けなくても、液晶パネルの温度の変化によって画質が損なわれないようにすることである。
【課題を解決するための手段】
【００１２】
上記課題を解決するために、本発明に係る液晶表示装置は、複数の画素電極が配置された第１の基板、及び第１の基板に対向する第２の基板、を含む液晶パネルと、各画素電極に映像信号電圧を印加することにより、各画素電極を駆動させる液晶パネル駆動手段と、前記液晶パネルに平行する平面上に複数のＬＥＤが配置されたバックライトと、前記複数のＬＥＤの輝度を均一に制御する第１の駆動態様、及び前記複数のＬＥＤを複数のエリアに分け当該エリア毎にＬＥＤの輝度を制御する第２の駆動態様の何れかで前記バックライトを駆動させるバックライト駆動手段と、を含む液晶表示装置であって、前記画素電極に印加される映像信号電圧を、前記バックライトの駆動態様に応じて変化させる制御手段を有することを特徴とする。
【００１３】
本発明の一態様では、前記液晶表示装置は、各画素電極に関し、該画素電極に関する画像データに対応する電圧を基礎電圧として取得する基礎電圧取得手段をさらに含み、前記制御手段は、少なくとも一部の画素電極の各々に関し、前記バックライトの駆動態様に応じた補正電圧を、例えばオーバードライブ補正やガンマ補正のために出力する出力手段を含み、前記液晶パネル駆動手段は、前記少なくとも一部の画素電極の各々を駆動させる場合、該画素電極に関する補正電圧に基づいて該画素電極に関する基礎電圧を補正してなる電圧を、該画素電極に映像信号電圧として印加するようにしてもよい。
【００１４】
また、本発明の一態様では、前記第１の駆動態様に対応する補正制御情報、及び前記第２の駆動態様に対応する補正電圧制御情報が記憶された記憶手段をさらに含み、前記出力手段は、前記記憶手段に記憶される補正制御情報のうち前記バックライトの現在の駆動態様に対応する補正制御情報に基づいて、前記補正電圧を出力するようにしてもよい。
【００１５】
また、本発明の一態様では、前記制御手段は、少なくとも一部の画素電極の各々に関する画像データを、前記バックライトの駆動態様に応じて補正量が変化するよう、例えばオーバードライブ補正やガンマ補正などの補正を行う補正手段を含み、前記液晶パネル駆動手段は、前記少なくとも一部の画素電極の各々を駆動させる場合、該画素電極に、前記補正手段により補正された画像データに対応する電圧を映像信号電圧として印加するようにしてもよい。
【００１６】
また、本発明の一態様では、前記第１の駆動態様に対応する補正制御情報、及び前記第２の駆動態様に対応する補正制御情報が記憶された記憶手段をさらに含み、前記制御手段は、前記記憶手段に記憶される補正制御情報のうち前記バックライトの現在の駆動態様に対応する前記補正制御情報に基づいて、前記少なくとも一部の画素電極の各々に関する画像データを補正するようにしてもよい。
【００１７】
また、本発明の一態様では、前記記憶手段には、前記第１の駆動態様に対応する補正制御情報として、４０℃用のオーバードライブ制御情報と４０℃用のガンマ補正制御情報とが記憶され、前記第２の駆動態様に対応する補正制御情報として、２５℃用のオーバードライブ制御情報と２５℃用のガンマ補正制御情報とが記憶されていてもよい。
【図面の簡単な説明】
【００１８】
【図１】本発明の実施形態に係る液晶表示装置の構成図である。
【図２】コントローラの動作の一例を説明するための図である。
【図３】デジタル−アナログ変換回路の動作の一例を説明するための図である。
【図４】液晶パネル駆動回路の動作の一例を示す図である。
【図５】バックライト駆動回路とＬＥＤバックライトの模式図である。
【図６】液晶パネルとＬＥＤバックライトの位置関係を示す図である。
【発明を実施するための形態】
【００１９】
以下、本発明の実施形態の例について図面に基づき詳細に説明する。
【００２０】
［液晶表示装置］
図１は、本発明の実施形態に係る液晶表示装置２の構成図である。同図に示すように、液晶表示装置２は、液晶パネル４と、液晶パネル駆動回路６と、コントローラ８と、ＥＥＰＲＯＭ等の記憶手段であるメモリ１０と、デジタルデータを電圧に変換して該デジタルデータに対応する電圧を液晶パネル駆動回路６に出力するデジタル−アナログ変換回路１２（以下、ＤＡＣ１２と記載する）と、ＬＥＤバックライト１４と、バックライト駆動回路１６と、チューナー１８と、を含む。メモリ１０には、後述するガンマ補正制御情報γ、及びオーバードライブ制御情報ＯＤが記憶されている。
【００２１】
［液晶パネル］
液晶パネル４は、第１基板４ａと、第１基板４ａに対向する第２基板４ｂと、を含む透過型液晶パネルである。第１基板４ａと、第２基板４ｂと、の間には、液晶（例えば、ネマティック液晶）が封入されている。液晶パネル４は、半透過型液晶パネルであってもよい。
【００２２】
第１基板４ａは、ガラス基板と偏光板等とを含む。第１基板４ａには、Ｒｅｄ、Ｂｌｕｅ、Ｇｒｅｅｎの各色に対応する画素電極４ｃがマトリクス状に配置されている。各画素電極４ｃは、データラインＤＬとゲートラインＧＬとに接続された薄膜トランジスタ４ｅに接続されている。ゲートラインＧＬを流れる信号により薄膜トランジスタ４ｅがＯＮ状態になったときに、データラインＤＬを流れる映像信号電圧が画素電極４ｃに印加される。画素電極４ｃの一つ一つが画素に対応している。
【００２３】
ここでは、液晶パネル４の表示モードがＩｎ−Ｐｌａｎｅ  Ｓｗｉｔｃｈｉｎｇモード（以下、ＩＰＳモード）であるため、第１基板４ａには、各画素電極４ｃに対応する共通電極４ｄもマトリクス状に配置されている。各共通電極４ｄは、共通ラインＣＬに接続されている。なお、液晶パネル４の表示モードは、ＩＰＳモード以外の表示モードであってもよい。
【００２４】
第２基板４ｂは、ガラス基板、偏光板、及び各色に対応するカラーフィルタ等を含む。なお、液晶パネル４の表示モードが例えばＴＮモードである場合、第２基板４ｂには、共通電極４ｄも配置されることになる。
【００２５】
［チューナー］
チューナー１８は、１フレーム間隔で順次画像を作成し、コントローラ８に繰り返し入力する。画像に含まれる各画素の画像データ（階調値などの色情報）がコントローラ８に繰り返し入力される（図１参照）。ここでは、画像データが階調値であるものとして説明を進める。なお、以下、「画素電極４ｃの画像データ」とは、「その画素電極４ｃに対応する画素の画像データ」のことを意味するものとする。
【００２６】
次に、コントローラ８、ＤＡＣ１２、及び液晶パネル駆動回路６について説明する。
【００２７】
［コントローラ］
コントローラ８は、例えばタイミングコントローラであり、後述する液晶パネル駆動回路６や、バックライト駆動回路１６を制御する。例えば、コントローラ８は、画像が入力される度に、タイミング信号を液晶パネル駆動回路６やバックライト駆動回路１６に出力する。
【００２８】
また、コントローラ８は、画像が入力される度に、画素電極４ｃごとに、該画素電極４ｃの画像データを映像信号として液晶パネル駆動回路６に出力する（図１参照）。但し、この液晶表示装置２にはオーバードライブ補正機能が実装されており、コントローラ８（制御手段、補正手段）は、少なくとも一部の画素電極４ｃの画像データに対して出力電圧をオーバーシュート或いはアンダーシュートするようなオーバードライブ補正した上で、映像信号として液晶パネル駆動回路６に出力する。
【００２９】
本実施形態の場合、コントローラ８は、画像が入力される度に、図２に説明する動作を画素電極４ｃごとに行う。ここでは、画素電極Ｘを対象に図２に示す動作を行う場合について説明する。
【００３０】
まず、コントローラ８は、画素電極Ｘの画像データ（階調値）の変化量Δが所定値以上であるか否かを判断する（Ｓ１０１）。そして、コントローラ８は、Ｓ１０１での判断結果に応じた映像信号を液晶パネル駆動回路６に出力する（Ｓ１０２）。すなわち、変化量Δが上記所定値以上である場合、画素電極Ｘの画像データ（階調値）を補正した上で、補正した画像データを画素電極Ｘの映像信号として液晶パネル駆動回路６に出力する。一方、変化量Δが上記所定値より小さい場合、画像データをそのまま画素電極Ｘの映像信号として液晶パネル駆動回路６に出力する。つまり、変化量Δが上記所定値より小さい場合、画像データの補正を行わない。
【００３１】
ここでは、コントローラ８は、Ｓ１０２において画像データを補正する場合、上述のオーバードライブ制御情報ＯＤに基づいて、該画像データを補正するようになっている。より詳しくは、コントローラ８は、オーバードライブ制御情報ＯＤが表す値を画像データ（階調値）に加算する。
【００３２】
このオーバードライブ補正機能により、階調値の変化が大きい画素の液晶の応答速度を速め、動画の画質の向上を図っている。
【００３３】
また、この液晶表示装置２には、色再現性の向上のためガンマ補正機能が実装されている。このガンマ補正機能を実現するために、コントローラ８は、ガンマ補正の実行をＤＡＣ１２に指示することも行う。
【００３４】
［ＤＡＣ］
ＤＡＣ１２（制御手段、出力手段）は、コントローラ８からの指示を受けると、画素電極４ｃごとに、ガンマ補正のための補正電圧を液晶パネル駆動回路６に出力する（図１参照）。より詳しくは、ＤＡＣ１２は、図３に示す動作を画素電極４ｃごとに行う。ここでは、画素電極Ｘを対象に図３に示す動作を行う場合について説明する。
【００３５】
すなわち、ＤＡＣ１２は、画素電極Ｘの画像データに応じた補正値を取得する（Ｓ２０１）。その後、ＤＡＣ１２は、その補正値に対応する電圧を画素電極Ｘの補正電圧として液晶パネル駆動回路６に出力する（Ｓ２０２）。つまり、その補正値を電圧に変換して液晶パネル駆動回路６に出力する。
【００３６】
ここでは、ＤＡＣ１２は、Ｓ２０１において、上述のガンマ補正制御情報γに基づいて補正値を取得する。より詳しくは、ガンマ補正制御情報γを、表示階調と補正値とを対応づけてなるテーブルとして設定しておく。こうした上で、ＤＡＣ１２は、まず、画素電極Ｘに対応する画素の表示階調（輝度）を取得する。表示階調は、例えば、コントローラ８により、画像データに基づいて予め算出される。そして、ＤＡＣ１２は、ガンマ補正制御情報γを参照し、この表示階調に対応づけられている補正値をメモリ１０から取得する。なお、ＤＡＣ１２は、補正値が「０」である場合、「０」ボルトの補正電圧を出力する。つまり、補正値が「０」である場合、ＤＡＣ１２は、補正電圧を出力しない。
【００３７】
このガンマ補正機能により、少なくとも一部の画素電極４ｃに関し、補正電圧が出力される。これにより、色再現性の向上を図っている。
【００３８】
［液晶パネル駆動回路］
液晶パネル駆動回路６は、ソースドライバであるデータライン駆動回路６ａと、ゲートドライバであるゲートライン駆動回路６ｂと、を含む。データライン駆動回路６ａは、各データラインＤＬに映像信号電圧を出力する。ゲートライン駆動回路６ｂは、薄膜トランジスタ４ｅをＯＮ状態にするための信号を、各ゲートラインＧＬに出力する。データライン駆動回路６ａ及びゲートライン駆動回路６ｂは、コントローラ８からのタイミング信号に従って、動作する。
【００３９】
データライン駆動回路６ａと、ゲートライン駆動回路６ｂと、により、液晶パネル駆動回路６は、１フレーム間隔で、各画素電極４ｃを駆動させる。すなわち、液晶パネル駆動回路６は、各画素電極４ｃに、その画素電極４ｃの画像データに基づく映像信号電圧を印加する。
【００４０】
より詳しくは、液晶パネル駆動回路６は、図４に示す動作を画素電極４ｃごとに行う。ここでは、画素電極Ｘを対象に図４に示す動作を行う場合について説明する。
【００４１】
まず、液晶パネル駆動回路６（基礎電圧取得手段）は、コントローラ８から出力された、画素電極Ｘの映像信号を取得し、該映像信号に対応する電圧を基礎電圧として取得する（Ｓ３０１）。すなわち、液晶パネル駆動回路６は、画素電極Ｘの映像信号を電圧に変換する。そのため、コントローラ８により画素電極Ｘの画像データが補正された場合には、補正された後の画像データに対応する電圧が基礎電圧となり、コントローラ８により画素電極Ｘの画像データが補正されていない場合には、その画像データそのものに対応する電圧が基礎電圧となる。
【００４２】
その後、液晶パネル駆動回路６は、画素電極Ｘの補正電圧に基づいてこの基礎電圧を補正した電圧を、映像信号電圧として画素電極Ｘに印加する（Ｓ３０２）。
【００４３】
ここでは、液晶パネル駆動回路６は、Ｓ３０２において、この基礎電圧に画素電極Ｘの補正電圧を加えた電圧を、映像信号電圧として画素電極Ｘに印加する。そのため、画素電極Ｘの補正電圧が「０」ボルトである場合、基礎電圧そのものが映像信号電圧として画素電極Ｘに印加されることとなる。
【００４４】
以上のようにしてコントローラ８、ＤＡＣ１２、及び液晶パネル駆動回路６が動作するので、例えば、画素電極Ｘの画像データが補正されず、且つ、画素電極Ｘの補正電圧が「０」ボルトである場合（すなわち、画素電極Ｘの補正電圧が出力されない場合）、液晶パネル駆動回路６は画素電極Ｘを駆動させるときに、当該画像データに対応する電圧Ｖ１を映像信号電圧として印加することになる。また、例えば、画素電極Ｘの画像データが補正され、且つ、画素電極Ｘの補正電圧が「０」ボルトである場合、液晶パネル駆動回路６は画素電極Ｘを駆動させるときに、電圧Ｖ１とは異なる電圧であって補正された後の当該画像データに対応する電圧Ｖ２を、映像信号電圧として印加することになる。また、例えば、画素電極Ｘの画像データが補正されず、且つ、画素電極Ｘの補正電圧が「０」ボルトでない場合、液晶パネル駆動回路６は画素電極Ｘを駆動させるときに、電圧Ｖ１を画素電極Ｘの補正電圧で補正した電圧Ｖ３を、映像信号電圧として印加することになる。
【００４５】
電圧Ｖ２と電圧Ｖ１との差は、オーバードライブ補正機能による映像信号電圧の補正量といえる。また、電圧Ｖ３と電圧Ｖ１との差は、ガンマ補正機能による映像信号電圧の補正量といえる。
【００４６】
［ＬＥＤバックライト及びバックライト駆動回路］
次に、ＬＥＤバックライト１４と、バックライト駆動回路１６と、について図５を参照しながら説明する。
【００４７】
図５は、ＬＥＤバックライト１４及びバックライト駆動回路１６の模式図である。ＬＥＤバックライト１４は、直下型バックライトであり、複数のＬＥＤ２２（ここでは、白色ＬＥＤ）がマトリクス状に配置されたＬＥＤパネル２０を含む。ＬＥＤバックライト１４は、バックライト駆動回路１６に接続されている。
【００４８】
上述のように、ＬＥＤバックライト１４は、直下型のバックライトである。図６は、液晶パネル４と、ＬＥＤパネル２０（ＬＥＤバックライト１４）と、の位置関係を示す図である。ここでは、説明の簡単のためＬＥＤ２２が４つしか示されていないが、実際には多数のＬＥＤ２２がＬＥＤパネル２０に配置されている。同図に示すように、ＬＥＤパネル２０は、液晶パネル４に重なるように配置されている。一つのＬＥＤ２２に対応する領域２４は、一つの画素に対応する画素領域の複数個分に対応する。なお、画素領域は、図１に示すデータラインＤＬとゲートラインＧＬとで囲まれた一の領域に対応する。
【００４９】
バックライト駆動回路１６は、コントローラ８からの指示に従い、ＬＥＤバックライト１４を駆動させる。本実施形態の場合、バックライト駆動回路１６は、ＬＥＤバックライト１４を均一に発光させる非ローカルディミング駆動（第１の駆動態様）と、一部のＬＥＤ２２からの出力光の輝度が非ローカルディミング駆動の場合よりも低くなるローカルディミング駆動（第２の駆動態様）と、のうちのいずれか一方の駆動態様で、ＬＥＤバックライト１４を駆動させる。なお、ＬＥＤバックライト１４の駆動態様は、ユーザの操作により切り替わる。
【００５０】
本実施形態の場合、バックライト駆動回路１６は、ＬＥＤバックライト１４を非ローカルディミング駆動で駆動させる場合、例えば、予め定められた基準駆動電流をすべてのＬＥＤ２２に印加する。
【００５１】
一方、バックライト駆動回路１６は、ＬＥＤバックライト１４をローカルディミング駆動で駆動させる場合、ＬＥＤ２２を複数のエリアに分割し、エリア毎に出力光の輝度を対応する画素領域の表示内容に応じて、各ＬＥＤ２２を駆動させる。例えば、バックライト駆動回路１６は、画像に応じて、各ＬＥＤ２２を異なる電流で駆動させる。より詳しくは、バックライト駆動回路１６は、あるＬＥＤ２２に対応する複数の画素の画像データの平均値が基準値以上の場合には、そのＬＥＤ２２に上記平均値に応じた電流を印加し、上記平均値が上記基準値よりも小さい場合は、そのＬＥＤ２２に基準駆動電流よりも小さい電流を印加するようにする。ここでは、バックライト駆動回路１６は、上記平均値が上記基準値より小さい場合、ＬＥＤ２２に電流を印加しないようにする。
【００５２】
以上のように、ＬＥＤバックライト１４をローカルディミング駆動で駆動させる場合と、ＬＥＤバックライト１４を非ローカルディミング駆動で駆動させる場合と、ではＬＥＤバックライト１４の駆動のさせ方が異なる。そのため、ＬＥＤバックライト１４をローカルディミング駆動で駆動させる場合と、ＬＥＤバックライト１４を非ローカルディミング駆動で駆動させる場合と、ではＬＥＤパネル２０の発熱量が異なる。その結果、本発明者らの知見によれば、発熱量の相違により、ＬＥＤバックライト１４の駆動態様が非ローカルディミング駆動であるときは液晶パネル４の周辺環境の温度が約４０℃となり、ＬＥＤバックライト１４の駆動態様がローカルディミング駆動であるときは、液晶パネル４の周辺環境の温度が約２５℃になることがわかっている。
【００５３】
ところで、液晶は温度によって粘度などの特性が変わる。そのため、この液晶表示装置２では上述のようにＬＥＤバックライト１４の駆動態様に応じて液晶パネル４の周辺環境の温度が変わるので、液晶の特性がＬＥＤバックライト１４の駆動態様に応じて変化することになる。そうすると、ＬＥＤバックライト１４の駆動態様の変化、言い換えれば液晶パネル４の周辺環境の温度変化、に関わらず、一定の補正量でオーバードライブ補正やガンマ補正を行うと、ＬＥＤバックライト１４の駆動態様によっては、色再現性や動画の画質が損なわれる可能性がある。
【００５４】
これに対して本発明の液晶表示装置２では、ＬＥＤバックライト１４の駆動態様に応じた補正量でオーバードライブ補正やガンマ補正が行われるようになっている。すなわち、ＬＥＤバックライト１４の駆動態様が非ローカルディミング駆動である場合には４０℃の環境に適した補正量でオーバードライブ補正やガンマ補正が行われ、ＬＥＤバックライト１４の駆動態様がローカルディミング駆動である場合には２５℃の環境に適した補正量でオーバードライブ補正やガンマ補正が行われるようになっている。そのため、液晶パネル４の周辺環境の温度が変化しても色再現性や動画の画質が損なわれなくなるよう、各画素電極４ｃに印加される映像信号電圧が調整（制御）されるようになっている。
【００５５】
以下、この点について説明する。
【００５６】
この液晶表示装置２では、ＬＥＤバックライト１４の駆動態様に応じた補正量でオーバードライブ補正が行われるようにするために、２種類のオーバードライブ制御情報ＯＤ−４０℃、ＯＤ−２５℃を図１に示すメモリ１０に記憶しておく。ここで、ＯＤ−４０℃は、４０℃用のオーバードライブ制御情報ＯＤであり、非ローカルディミング駆動に対応する。また、ＯＤ−２５℃は、２５℃用のオーバードライブ制御情報ＯＤであり、ローカルディミング駆動に対応する。
【００５７】
こうした上で、コントローラ８（補正手段）は、図２のＳ１０２において、画素電極Ｘの画像データの変化量Δが上記所定値以上である場合、ＬＥＤバックライト１４の駆動態様に応じて補正量が変化するように当該画像データを補正する。すなわち、コントローラ８は、ＯＤ−４０℃及びＯＤ−２５℃のうちＬＥＤバックライト１４の現在の駆動態様に対応するものをメモリ１０から読み出し、これに基づいて画素電極Ｘの画像データを補正する。より詳しくは、コントローラ８は、読み出したオーバードライブ制御情報ＯＤが表す値を当該画像データに加算する。
【００５８】
こうして、ＬＥＤバックライト１４の駆動態様が非ローカルディミング駆動である場合、言い換えれば液晶パネル４の周辺環境の温度が４０℃である場合、ＯＤ−４０℃の表す値が画像データに加算され、ＬＥＤバックライト１４の駆動態様がローカルディミング駆動である場合、言い換えれば液晶パネル４の周辺環境の温度が２５℃である場合、ＯＤ−２５℃の表す値が画像データに加算される。
【００５９】
その結果、電圧Ｖ２と電圧Ｖ１との差、すなわちオーバードライブ補正機能による映像信号電圧の補正量は、ＬＥＤバックライト１４の駆動態様に応じて変化する。つまり、コントローラ８は、ＬＥＤバックライト１４の駆動態様に応じて補正量が変化するように画素電極Ｘの画像データを補正することにより、映像信号電圧の補正量を変化させ、液晶パネル４の周辺環境の温度の変化によって動画の画質が損なわれないようにしている。なお、一般に温度が低いほど液晶の粘度が高くなるので、非ローカルディミング駆動の場合よりもローカルディミング駆動の場合のほうが補正量が大きくなるように、ＯＤ−４０℃及びＯＤ−２５℃を設定しておくと好適である。
【００６０】
また、この液晶表示装置２では、ＬＥＤバックライト１４に応じた補正量でガンマ補正が行われるようにするために、２種類のガンマ補正制御情報γ−４０℃、γ−２５℃を図１に示すメモリ１０に記憶しておく。ここで、γ−４０℃は、４０℃用のガンマ補正制御情報γであり、非ローカルディミング駆動に対応する。また、γ−２５℃は、２５℃用のガンマ補正制御情報γであり、ローカルディミング駆動に対応する。
【００６１】
こうした上で、ＤＡＣ１２は、図３のＳ２０１において、ＬＥＤバックライト１４の現在の駆動態様に応じた補正値を取得する。すなわち、ＤＡＣ１２は、γ−４０℃及びγ−２５℃のうちＬＥＤバックライト１４の現在の駆動態様に対応する方を選択し、これに基づいて補正値を取得する。より詳しくは、ＤＡＣ１２は、選択したガンマ補正制御情報γにおいて、画素電極Ｘに対応する画素の表示階調に対応づけられている補正値をメモリ１０から読み出す。なお、上述のように、画素電極Ｘに対応する画素の表示階調は、画素電極Ｘの画像データに基づいてコントローラ８により予め算出されたものである。
【００６２】
こうして、ＬＥＤバックライト１４の駆動態様が非ローカルディミング駆動である場合、言い換えれば液晶パネル４の周辺環境の温度が４０℃である場合、γ−４０℃から補正値が読み出され、ＬＥＤバックライト１４の駆動態様がローカルディミング駆動である場合、言い換えれば液晶パネル４の周辺環境の温度が２５℃である場合、γ−２５℃から補正値が読み出される。
【００６３】
そして、ＤＡＣ１２（出力手段）は、図３のＳ２０２において、ＬＥＤバックライト１４の現在の駆動態様に応じた電圧を、画素電極Ｘの補正電圧として出力することになる。
【００６４】
その結果、電圧Ｖ３と電圧Ｖ１との差、すなわちガンマ補正機能による映像信号電圧の補正量は、ＬＥＤバックライト１４の駆動態様に応じて変化するようになる。つまり、ＤＡＣ１２は、ＬＥＤバックライト１４の駆動態様に応じた補正電圧を出力することにより、映像信号電圧の補正量を変化させ、液晶パネル４の周辺環境の温度の変化によって色再現性が損なわれないようにしている。
【００６５】
なお、液晶表示装置２に温度センサを設け、温度センサの検知結果に応じてガンマ補正機能による補正量やオーバードライブ補正機能による補正量を変化させるようにしても、液晶パネル４の周辺環境の温度の変化によって色再現性及び動画の画質が損なわれないようにすることが可能である。しかし、この場合、液晶表示装置２にわざわざ温度センサを設けなくてはならず、コストがかかる。
【００６６】
この点、本実施形態では、液晶表示装置２に温度センサを設ける必要がないので、製造コストを下げつつ、液晶パネル４の周辺環境の温度の変化によって色再現性及び動画の画質が損なわれないようにすることが可能になる。
【００６７】
なお、本発明の実施形態は、上記実施形態だけに限らない。
【００６８】
例えば、上記実施形態では、補正電圧の出力によりガンマ補正が行われていたが、画像データを補正することによりガンマ補正が行われてもよい。
【００６９】
また、例えば、上記実施形態では、画像データの補正によりオーバードライブ補正が行われていたが、補正電圧の出力によりオーバードライブ補正が行われてもよい。
【符号の説明】
【００７０】
２  液晶表示装置、４  液晶パネル、４ａ  第１基板、４ｂ  第２基板、４ｃ  画素電極、４ｄ  共通電極、４ｅ  薄膜トランジスタ、６  液晶パネル駆動回路、６ａ  データライン駆動回路、６ｂ  ゲートライン駆動回路、８  コントローラ、１０  メモリ、１２  デジタル−アナログ変換回路（ＤＡＣ）、１４  ＬＥＤバックライト、１６  バックライト駆動回路、１８  チューナー、２０  ＬＥＤパネル、２２  ＬＥＤ、２４  領域。
【図１】
2011099953.tif 000003
【図２】
2011099953.tif 000004
【図３】
2011099953.tif 000005
【図４】
2011099953.tif 000006
【図５】
2011099953.tif 000007
【図６】
2011099953.tif 000008